(57)【要約】    【課題】  粘着シートが被着部に貼り付けられる時に、粘着シートにおいてヘラに押さえられている位置と裏紙のはがれ始める位置との間の距離を一定にすること。    【解決手段】  シート貼り付け具１０が、被着部３と平行に延在し、粘着シート１の裏紙２を粘着面１ｓからはがれる方向に案内する裏紙収納ポケット１１と、裏紙収納ポケット１１に対して所定の隙間を隔てて対向するように設けられ、裏紙２がはがされた粘着シート１上において、粘着シート１が被着部３に向かって押さえられるように粘着シート１の一端側１ａから他端側１ｂにスライドするヘラ部１２とを備える構成としたこと。【選択図】  図１
2005298139.tif 000002
【特許請求の範囲】
【請求項１】
粘着シートの粘着面に貼り付けられた裏紙をはがしながら該粘着シート上でヘラをスライドさせていくことで、該粘着シートの粘着面を被着部に貼り付ける粘着シートの貼り付け具であって、
前記被着部と平行に延在し、前記粘着シートの裏紙を前記粘着面からはがれる方向に案内する裏紙案内部と、
前記裏紙案内部に対して所定の隙間を隔てて対向するように設けられ、前記裏紙がはがされた粘着シート上において、該粘着シートが前記被着部に向かって押さえられるように該粘着シートの一端側から他端側にスライドするヘラ部と
を備えることを特徴とする粘着シートの貼り付け具。
【請求項２】
前記裏紙案内部は、前記裏紙が前記粘着面からはがれる方向に関して、ループ状に延在することを特徴とする請求項１に記載の粘着シートの貼り付け具。
【発明の詳細な説明】
【技術分野】
【０００１】
本発明は、粘着シートの貼り付け具に関するものである。
【背景技術】
【０００２】
粘着シートは、シート状物に予め粘着剤が塗布されたものである。粘着シートのうち、粘着剤が塗布された面（粘着面）には、はがすことのできる紙（裏紙）が貼り付けられている。そして、粘着面と反対側の面（表示面）には、文字や図柄などが表示されている。
【０００３】
このような粘着シートを掲示ボード等の被着部に貼り付ける場合、作業者は、粘着面に貼り付けられた裏紙をはがした後、粘着剤が塗布された粘着面を被着部に貼り付ける。
【０００４】
この粘着シートの貼り付けに際しては、ヘラ状の用具（以下、ヘラ）を用いる方法が公知となっている。この方法について、図３を参照して説明する。
【０００５】
この貼り付け方法において、まず、作業者は、粘着シート１の粘着面Ｓ１に貼り付けられた裏紙２のうち粘着シート１の一端側１ａにあたる部分を少しだけはがし、この裏紙２をはがした部分の粘着面Ｓ１を、被着部３上の所定位置に貼り付ける。そして、残りの裏紙２をはがしていきながら、粘着シート１の一端側１ａから他端側１ｂに向かって、ヘラ４が図中２点鎖線の位置から実線の位置へと移動するように、ヘラ４を粘着シート１の表示面Ｓ２上でスライドさせていく。この間、ヘラ４を用いて粘着シート１の表示面Ｓ２を被着部３に向かって適度に押さえた状態で、ヘラ４をスライドさせていく。
【発明の開示】
【発明が解決しようとする課題】
【０００６】
ところが、上述のヘラ４を用いる方法では、ヘラ４を粘着シート１の表示面Ｓ２上でスライドさせていく時に、表示面Ｓ２上でヘラ４をスライドさせていく動きと裏紙２をはがしていく動きとがそれぞれ独立して行われる。したがって、粘着シート１においては、ヘラ４に押さえられている位置（ヘラ４の先頭位置）と、裏紙２がはがれ始める位置（粘着面Ｓ１の先頭位置）との間の距離が一定には保たれない。
【０００７】
たとえば、ヘラ４の先頭位置と粘着面Ｓ１の先頭位置との間の距離が長くなればなるほど、その時点での粘着シート１においては、裏紙２がはがされたことで被着部３に貼り付くことのできる粘着面Ｓ１の面積が大きくなる。つまり、粘着シート１の粘着面Ｓ１においては、ヘラ４で押さえられる前に被着部３に貼り付くことのできる面積が大きくなる。
【０００８】
この場合、粘着シート１の粘着面Ｓ１のうち、粘着シート１の他端側１ｂに近い部分が同他端側１ｂから遠い部分よりも先に被着部３に貼り付けられることが起こり得る。
【０００９】
したがって、粘着シート１の貼り付けにともなって、粘着シート１の表示面Ｓ２上にシワが生じたり、粘着シート１の粘着面Ｓ１と被着部３との間に空気が混入したりする可能性が高くなり、貼り付け後における粘着シート１の見栄えの悪化が懸念される。
【００１０】
よって、本発明は上記の問題点に鑑みてなされたものであり、粘着シートが被着部に貼り付けられる時に、粘着シートにおいてヘラに押さえられている位置と裏紙のはがれ始める位置との間の距離を一定にすることを課題とする。
【課題を解決するための手段】
【００１１】
上記課題を解決するために、本発明にて講じた技術的手段は、請求項１に記載の様に、粘着シートの粘着面に貼り付けられた裏紙をはがしながら該粘着シート上でヘラをスライドさせていくことで、該粘着シートの粘着面を被着部に貼り付ける粘着シートの貼り付け具が、前記被着部と平行に延在し、前記粘着シートの裏紙を前記粘着面からはがれる方向に案内する裏紙案内部と、前記裏紙案内部に対して所定の隙間を隔てて対向するように設けられ、前記裏紙がはがされた粘着シート上において、該粘着シートが前記被着部に向かって押さえられるように該粘着シートの一端側から他端側にスライドするヘラ部とを備える構成としたことである。
【００１２】
好ましくは、請求項２に記載の様に、前記裏紙案内部は、前記裏紙が前記粘着面からはがれる方向に関して、ループ状に延在する構成にすると良い。
【発明の効果】
【００１３】
本発明によれば、粘着シートの粘着面に貼り付けられた裏紙を粘着面からはがれる方向に案内する裏紙案内部が設けられている。そして、裏紙がはがされた粘着シート上をスライドするヘラ部が、裏紙案内部に対して所定の距離を隔てて対向するように設けられている。この場合、ヘラ部と裏紙案内部との間の位置関係が不変であるので、粘着シート上をヘラがスライドする間、粘着シートにおいては、ヘラに押さえられている位置からみて常に同じ位置で裏紙がはがれていく。その結果、粘着シートが被着部に貼り付けられる時に、粘着シートにおいてヘラに押さえられている位置と裏紙のはがれ始める位置との間の距離を一定にできる。
【発明を実施するための最良の形態】
【００１４】
以下、本発明を実施するための最良の形態を、図面を基に説明する。図１は、本発明に係るシート貼り付け具１０（粘着シートの貼り付け具）の構造を概略的に描いた斜視図である。図２は、シート貼り付け具１０を用いた粘着シート１の貼り付け作業の態様を模式的に描いた図である。
【００１５】
シート貼り付け具１０は、粘着面１ｓを有する粘着シート１を被着部３（例えば、掲示ボード）に貼り付ける時に用いるものである。
【００１６】
シート貼り付け具１０は、裏紙収納ポケット１１（裏紙案内部）と、ヘラ部１２と、シート挿入部１３と、脚部１４と、シート支持壁１５と、操作ハンドル１６と、を備えている。
【００１７】
裏紙収納ポケット１１は、被着部３と平行するように延在し、大まかには筒形状を呈している。裏紙収納ポケット１１には、端部１１ａと収納部１１ｂが設けられている。端部１１ａ（裏紙案内部）は、プレート状を呈しており、図２に示される粘着シート１の貼り付け時に、粘着面１ｓに貼り付けられた裏紙２を同粘着面１ｓからはがれる方向に案内する。また、収納部１１ｂは、端部１１ａに連続するように設けられ、粘着面１ｓから裏紙２がはがれる方向に関してループを描くように延在している。
【００１８】
ヘラ部１２は、裏紙収納ポケット１１と同様に、被着部３と平行するように延在している。ヘラ部１２は、大まかにはクサビ形状を呈し、粘着シート１の貼り付け時に粘着シート１を被着部３に向かって押さえ易い構造となっている。また、ヘラ部１２と裏紙収納ポケット１１の端部１１ｂとの間には、スリット状のシート挿入部１３が設けられている。つまり、ヘラ部１２は、裏紙収納ポケット１１（端部１１ａ）に対して所定の隙間を隔てて対向するように設けられている。粘着シート１の貼り付け時には、ヘラ部１２は、裏紙２がはがされた粘着シート１上において、粘着シートが被着部３に向かって押さえられるように、同粘着シート１上を一端側１ａから他端側１ｂにスライドする。この間、粘着シート１は、被着部３の上下方向に関してシート挿入部１３の上方からシート挿入部１３に挿入され、ヘラ部１２のスライドにともなって、被着部３に順次貼り付けられていく。
【００１９】
また、ヘラ部１２には、一対の脚部１４が設けられている。ヘラ部１２が粘着シート１上をスライドする間、ヘラ部１２は、一対の脚部１４を介して被着部３に支持される。これにより、ヘラ部１２は、安定した姿勢を保って、粘着シート１上をスライドする。
【００２０】
さらに、ヘラ部１２には、シート支持壁１５が設けられている。シート支持壁１５は、サイド部１５ａとリヤ部１５ｂとからなる。ヘラ部１２は、シート支持壁１５のサイド部１５ａを介して、裏紙収納ポケット１１に連結されている。シート支持壁１５のサイド部１５ａとリヤ部１５ｂは、何れも、ヘラ部１２において被着部３の上方に延在している。粘着シート１の貼り付け時において、粘着シート１がシート挿入部１３に上方からスムーズに挿入されるように、シート貼り付け具１０における粘着シート１の位置が、シート支持壁１５によって規制される。また、シート支持壁１５のリヤ部１５ｂには、操作ハンドル１６が設けられている。操作ハンドル１６は、粘着シート１の貼り付け時に、作業者によって把持される部材である。作業者は、この操作ハンドル１６を把持して、ヘラ部１２が粘着シート１上をスライドするように、シート貼り付け具１０を被着部３の前方に移動させる。
【００２１】
なお、以上の説明においては、ヘラ部１２がクサビ形状を呈する例を示したが、これに限定されるものではなく、粘着シート１を被着部３に向かって押さえ易い構造であれば良い。
【００２２】
また、裏紙収納ポケット１１（収納部１１ｂ）がループを描くように延在する例を示したが、これに限定されるものではなく、粘着シート１の粘着面１ｓに貼り付けられた裏紙２を同粘着面１ｓからはがれる方向に案内できる形状であれば良い。
【００２３】
また、裏紙収納ポケット１１とヘラ部１２とがシート支持壁１５を介して連結される例を示したが、これに限定されるものではなく、裏紙収納ポケット１１とヘラ部１２とが所定の隙間を隔てて互いに対向する構造であれば良い。たとえば、裏紙収納ポケット１１とヘラ部１２とが、所定の隙間を隔てて互いに対向するように一体的に設けられる構造の適用も可能である。
【００２４】
以下、本発明のシート貼り付け具１０を用いた粘着シート１の貼り付け作業の態様について、図２を参照して説明する。
【００２５】
まず、作業者は、粘着シート１の粘着面１ｓに貼り付けられた裏紙２のうち、粘着シート１の一端側１ａにあたる部分を少しだけはがし、この裏紙２をはがした部分の粘着面１ｓを、被着部３上の所定位置に貼り付ける。そして、図２（ａ）に示すように、粘着シート１の一端側１ａがシート挿入部１３に上方から挿入された状態となるように、シート貼り付け具１０を粘着シート１に対して位置決めする。このとき、裏紙２のうち粘着面１ｓからはがされた部分が、裏紙収納ポケット１１の端部１１ａに係合した状態にする。
【００２６】
この状態から、作業者が、シート貼り付け具１０を被着部３の前方に移動させると、ヘラ部１２は、粘着シート１を被着部３に向かって押さえた状態で、被着部３の前方に移動する。このとき、図２（ｂ）に示すように、裏紙収納ポケット１１の端部１１ａによって、粘着シート１の裏紙２が粘着シート１の粘着面１ｓからはがれる方向に案内される。したがって、ヘラ部１２の前方への移動にともなって、裏紙２のはがされた粘着シート１が、シート挿入部１３を経由して、ヘラ部１２と被着部３との間に順次送られ、粘着面１ｓが被着部３に貼り付けられていく。この間、シート貼り付け具１０のヘラ部１２は、裏紙２がはがされた粘着シート１上において、粘着シート１が被着部３に向かって押さえられるように、粘着シート１の一端側１ａから他端側１ｂにスライドしている。
【００２７】
そして、シート貼り付け具１０が被着部３の前方にさらに移動すると、図２（ｃ）に示すように、粘着シート１においては、粘着面１ｓから裏紙２がすべてはがされ、粘着シート１の被着部３への貼り付けが完了する。このとき、粘着シート１の粘着面１ｓからはがされた裏紙２は、ループを描くように延在する裏紙収納ポケット１１の収納部１１ｂ内にロール状に収納されている。
【００２８】
以上説明したように、本発明のシート貼り付け具１０によれば、粘着シート１の粘着面１ｓに貼り付けられた裏紙２を粘着面１ｓからはがれる方向に案内する裏紙収納ポケット１１（端部１１ａ）が設けられている。そして、裏紙２がはがされた粘着シート１上をスライドするヘラ部１２が、裏紙収納ポケット１１（端部１１ａ）に対して所定の隙間を隔てて対向するように設けられている。ヘラ部１２が粘着シート１上をスライドする間、粘着シート１は、ヘラ部１２により、被着部３に向かって押さえられた状態となっている。この構造においては、ヘラ部１２と裏紙収納ポケット１１（端部１１ａ）との間の位置関係が不変であるので、粘着シート１においては、裏紙２が粘着面１からはがれる方向に作用する力が、ヘラ部１２に押さえられている位置からみて常に同じ位置に作用する。つまり、ヘラ部１２が粘着シート１上をスライドする間、粘着シート１においては、ヘラ部１２に押さえられている位置からみて常に同じ位置で裏紙２がはがれていく。その結果、粘着シート１が被着部３に貼り付けられる時に、粘着シート１においてヘラ部１２に押さえられている位置と裏紙２のはがれ始める位置との間の距離を一定にできる。この場合、ヘラ部１２と裏紙収納ポケット１１（端部１１ａ）との間に設けられる所定の隙間を好適な値に設定すれば、誰が貼り付け作業を行っても、粘着シート１上におけるシワ等の発生が抑制され、粘着シート１を被着部３に見栄え良く貼り付けできる。また、裏紙収納ポケット１１の収納部１１ｂはループを描くように延在しているので、被着部３への粘着シート１の貼り付けが完了した時点で、粘着シート１からはがされた裏紙２は、収納部１１ｂ内にロール状に収納されている。これにより、裏紙２の廃棄も簡単に行える。
【図面の簡単な説明】
【００２９】
【図１】本発明のシート貼り付け具の構造を概略的に描いた斜視図である。
【図２】本発明のシート貼り付け具を用いた粘着シートの貼り付け作業の態様を模式的に描いた図である。
【図３】ヘラを用いて粘着シートを貼り付ける公知の方法の態様を模式的に描いた図である。
【符号の説明】
【００３０】
１  粘着シート
１ｓ  粘着面
１ａ  一端側
１ｂ  他端側
２  裏紙
３  被着部
１０  シート貼り付け具（粘着シートの貼り付け具）
１１  裏紙収納ポケット（裏紙案内部）
１１ａ  端部（裏紙案内部）
１１ｂ  収納部
１２  ヘラ部
【図１】
2005298139.tif 000003
【図２】
2005298139.tif 000004
【図３】
2005298139.tif 000005